(57)【要約】      （修正有）【課題】ソフトウェアによる対応を行うことで印字時間を安定させ、かつ印字速度を向上できるレーザマーカを提供する。【解決手段】画像を作成して、印字方法（ラスター印字、ベクター印字等）を選択した際に、印字する画像順に座標データ群を作成し、座標間によって必要なガルバノミラー移動時間を算出して時データを作成し、座標データと時データを一組として記憶させておき、印字するときは、記憶させておいた座標データと時データをガルバノミラー制御装置に出力して、ガルバノミラー移動、レーザーパルス出力、ガルバノミラー移動、レーザーパルス出力、という一連の制御により印字することで印字動作中の計算処理を不要にする。【選択図】図１
2005007471.tif 000002
【特許請求の範囲】
【請求項１】
ガルバノミラー制御装置に座標データを送り、ガルバノミラーの角度を変えてレーザ発振器から出力されるレーザ光の照射点を移動させ、所望の画像等を印字対象素材に印字するレーザマーカにおいて、印字したい画像を表示する手段と、その画像を座標データ群に置き換える手段と、座標データ群を並び替える手段とを備えたことを特徴とするレーザマーカ。
【請求項２】
請求項１の手段を備えたレーザマーカにおいて、並び替えた座標データ群から隣り合う座標間のピクセル数を保存する手段を備えたレーザマーカ装置。
【請求項３】
請求項１と請求項２の手段を備えたレーザマーカにおいて、請求項２のピクセル数を用いて、ガルバノミラーを目的の角度まで移動するのに必要な時間を計算し、時データとしてその値を記憶する手段を備えたレーザマーカ。
【発明の詳細な説明】
【０００１】
【発明の属する技術分野】
本発明は、ガルバノミラーの角度を変えてレーザ発振器から出力されるレーザ光の照射点を移動させ、所望の画像等を印字対象素材に印字するレーザマーカに関するものである。
【０００２】
【従来の技術】
従来、Ｂｉｔｍａｐの画像を印字する際は、画像データを座標データに変換して印字すると共に座標データをガルバノミラー制御装置に送信していた。このときに前回送信したデータと今回送信したデータとを比較し、その比較値より、ガルバノミラーの移動に必要な時間をソフトウェアで計算し、算出した値のパルス値に応じてガルバノミラーを移動していた。
【０００３】
また特開２００１−１２１２７７の方法では、印字可能な全ての画像に対して、画像を構成する線を細分した複数位置の座標データ群を、歪み補正を施してフラッシュメモリに記憶させ、ガルバノミラー制御装置に引き渡して印字していた。
【０００４】
このような従来のレーザマーカは、画像の１ドットを印字して、次の１ドットを印字するまでに要するガルバノミラーの移動時間を算出し、算出した時間待機した後にレーザを照射するという方式をとっている。言い換えれば、ガルバノミラーの位置データを出力した後にガルバノミラーが次の位置まで移動するのにかかる時間を毎回計算していたのである。
【０００５】
【発明が解決しようとする課題】
この方法は、ドット間移動時間算出を毎回行うため、ＣＰＵの性能やパソコンの状態によっては処理速度が影響し、印字速度が遅くなってしまう問題が生じていた。
【０００６】
そこで、本発明は、次に述べるソフトウェアによる対応を行うことで印字時間を安定させ、かつ印字速度を向上したレーザマーカを提供することを実現した。
【０００７】
【課題を解決するための手段】
レーザマーカ用のアプリケーションを起動して、ディスプレィに印字したい画像を表示させ、印字方法（ラスター印字、ベクター印字等）を選択した際に、印字する画像順に座標データ群を作成し、座標間によって必要なガルバノミラー移動時間を算出して時データを作成し、座標データと時データを一組として記憶させておく。
【０００８】
印字するときは、記憶させておいた座標データと時データをガルバノミラー制御装置に出力して、ガルバノミラー移動、レーザーパルス出力、ガルバノミラー移動、レーザーパルス出力、という一連の制御により印字することで印字動作中の計算処理を不要にする。
【０００９】
【発明の実施例】
以下、本発明の実施形態について図１のフロー図、図２の画像例、図３の構成概略図、及び表１で説明すると、例えば印字対象素材７に、図２のような画像を印字しようとするときは、パソコン装置１のレーザマーカ用アプリケーションを起動して画像形成を行い、座標データ配列を変換し表１のような印字順番表を作成する。
表１のＸ軸とＹ軸のピクセル間隔のうち広いほうを選択しその間隔をＳとし、ガルバノミラー５が１ピクセル分移動するのに必要な時間をＭとしたときのガルバノミラー移動時間をＴ＝Ｓ×Ｍとして計算して時データ配列を作成して記憶手段に記憶しておく。
【００１０】
【表１】
2005007471.tif 000003
【００１１】
印字開始指示をＹＥＳにすると、座標データ配列をガルバノミラー制御装置３に出力し、ガルバノミラー制御信号１０によりガルバノミラー５に移動指示を出し、同時に時データ配列からガルバノミラー移動時間を読み込み、ガルバノミラー移動時間が経過したらレーザ発振器２にパルス信号８を出力してレーザ光４を出力させて印字する。という一連の動作を繰り返して印字を進行させ、座標データ配列の最後まで制御終了したら印字を終了する。
【００１２】
レーザマーカは図３のように構成されている。パソコン装置１はレーザマーカ用のアプリケーションを搭載しており、印字する画像の形成、画像の表示、座標データ配列への変換、時データ配列の作成、ガルバノミラーの制御、レーザ発振器のパルス発振制御等を行っている。レーザ発振器２はパソコン装置１からのパルス発振制御信号によりレーザ光４をパルス発振する。ガルバノミラー制御装置３はパソコン装置１からの座標データと時データに基づいて、ガルバノミラー装置５の角度を制御してレーザ発振器２から出力されたレーザ光４の照射方向を移動させる。
レーザ光４はｆθレンズ５で偏向歪みが補正されて印字対象素材７に照射される。
【００１３】
【発明の作用効果】
請求項１の効果は、画像を作成したときに一括して座標データ配列として記憶させて置き、印字中は記憶させておいた座標データ配列から順次呼び出すだけの軽い処理にすることで印字動作中の計算処理が不要になりパソコン装置への負担が減り印字所要時間が安定し、印字速度を向上することが出来る。
【００１４】
請求項２、３の効果は、従来はガルバノミラーの座標データを出力した後にガルバノミラーが移動するのにかかる時間を毎回計算していたのを、予め座標データ配列とリンクした時データ配列を作成することによって印字中は計算処理を行う必要が無くなるので、パソコン装置への負担が減り処理速度が向上し印字処理が安定する。
これは、ＣＰＵの処理能力に依存しないだけでなく同じ画像を印字する場合は、再度計算しなくてすむので印字作業も効率的になる。
【００１５】
【図面の簡単な説明】
【図１】本発明のレーザマーカのフロー図である。
【図２】印字データの例である。
【図３】レーザマーカの簡易構成図である。
【００１６】
【符号の説明】
１  パソコン装置
２  レーザ発振器
３  ガルバノミラー制御装置
４  レーザ光
５  ガルバノミラー
６  Ｆθレンズ
７  印字対象物
８  パルス信号
９  データ／制御信号
１０  ガルバノミラー制御信号
【図１】
2005007471.tif 000004
【図２】
2005007471.tif 000005
【図３】
2005007471.tif 000006